(57)【要約】【課題】セリシンをパウダー化することなく、抽出されたセリシン水をそのまま利用できること。【解決手段】繭玉からセリシンを抽出するセリシン抽出装置であって、繭玉を入れる水槽１０と、水槽１０内の水を流動させる流動部とを有し、水槽１０内の水として温泉水を用い、水槽１０にて抽出されたセリシン水を浴用に用いることを特徴とするセリシン抽出装置。【選択図】図１
2007175685.tif 000002
【特許請求の範囲】
【請求項１】
繭玉からセリシンを抽出するセリシン抽出装置であって、
前記繭玉を入れる水槽と、前記水槽内の水を流動させる流動部とを有し、
前記水槽内の水として温泉水を用い、前記水槽にて抽出されたセリシン水を浴用に用いることを特徴とするセリシン抽出装置。
【請求項２】
繭玉からセリシンを抽出するセリシン抽出装置であって、
前記繭玉を入れる水槽と、前記水槽内の水を加熱する加熱部と、前記水槽内の水を流動させる流動部とを有し、
前記水槽にて抽出されたセリシン水を浴用に用いることを特徴とするセリシン抽出装置。
【請求項３】
繭玉からセリシンを抽出するセリシン抽出装置であって、
前記繭玉を入れる第１の水槽と、前記第１の水槽内の水を導入する第２の水槽とを有し、前記第１の水槽内の水温を前記第２の水槽内の水温よりも高くし、前記第２の水槽内のセリシン水を浴用に用いることを特徴とするセリシン抽出装置。
【請求項４】
前記繭玉として、蛹を取り出した後の切り繭を用いることを特徴とする請求項１から請求項３のいずれかに記載のセリシン抽出装置。
【請求項５】
前記繭玉に代えて、きびそ、毛羽を用いることを特徴とする請求項１から請求項３のいずれかに記載のセリシン抽出装置。
【請求項６】
前記温泉水がアルカリ性の泉質であることを特徴とする請求項１に記載のセリシン抽出装置。
【請求項７】
前記流動部を前記水槽の下方からの気泡の噴出とすることを特徴とする請求項１又は請求項２に記載のセリシン抽出装置。
【請求項８】
前記流動部を気液混合水の噴出とすることを特徴とする請求項１又は請求項２に記載のセリシン抽出装置。
【請求項９】
前記流動部を前記水槽内への前記温泉水の導入とすることを特徴とする請求項１に記載のセリシン抽出装置。
【請求項１０】
前記第２の水槽にも繭玉を入れることを特徴とする請求項３に記載のセリシン抽出装置。
【請求項１１】
前記第１の水槽の水を加熱する加熱部と、前記第２の水槽の水を冷却する冷却部とを有することを特徴とする請求項３に記載のセリシン抽出装置。
【請求項１２】
圧縮機、放熱器、膨張器、蒸発器から構成される冷凍装置を有し、前記放熱器を前記加熱部として用い、前記蒸発器を前記冷却部として用いることを特徴とする請求項１１に記載のセリシン抽出装置。
【請求項１３】
前記第１の水槽と前記第２の水槽とを併設し、前記第１の水槽と前記第２の水槽との間に空間を形成することを特徴とする請求項３に記載のセリシン抽出装置。
【請求項１４】
前記第１の水槽と前記第２の水槽とを併設し、前記第１の水槽と前記第２の水槽との間に空間を形成し、前記空間に前記圧縮機を配置することを特徴とする請求項１２に記載のセリシン抽出装置。
【請求項１５】
前記第１の水槽と前記第２の水槽とを併設し、前記第１の水槽と前記第２の水槽との間に空間を形成し、前記空間に照明部またはディスプレイを配置することを特徴とする請求項１２に記載のセリシン抽出装置。
【請求項１６】
前記セリシン水を飲用に用いることを特徴とする請求項１から請求項３のいずれかに記載のセリシン抽出装置。
【請求項１７】
前記水槽の下部に、前記水槽内部を照射する照明部を設けることを特徴とする請求項１から請求項３のいずれかに記載のセリシン抽出装置。
【請求項１８】
請求項１から請求項３のいずれかに記載のセリシン抽出装置において、前記水槽内に前記繭玉とともに生薬、ハーブ類、薬草、冬虫夏草などの成分原料を入れることを特徴とする浴用成分抽出装置。
【請求項１９】
請求項１から請求項３のいずれかに記載のセリシン抽出装置において、前記水槽内に前記繭玉の代わりに生薬、ハーブ類、薬草、冬虫夏草などの成分原料を入れることを特徴とする浴用成分抽出装置。
【請求項２０】
前記水槽が密閉式であることを特徴とする請求項１から請求項３のいずれかに記載のセリシン抽出装置。
【請求項２１】
生薬、ハーブ類、薬草、冬虫夏草などの成分原料から成分を抽出する浴用成分抽出装置であって、
前記成分原料を入れる第１の水槽と、前記第１の水槽内の水温と異なる水温とする第２の水槽とを有し、
前記第１の水槽内の成分抽出水又は前記第２の水槽内の成分抽出水を浴用に用いることを特徴とする浴用成分抽出装置。
【請求項２２】
請求項１から請求項３のいずれかに記載のセリシン抽出装置で抽出したことを特徴とするセリシン水。
【請求項２３】
請求項１から請求項３のいずれかに記載のセリシン抽出装置でセリシンを抽出した後に生じることを特徴とする真綿。
【発明の詳細な説明】
【技術分野】
【０００１】  本発明は、シルクに含まれているセリシンを抽出し、パウダー化することなくセリシン水を利用するセリシン抽出装置に関する。
【背景技術】
【０００２】  セリシンは保湿効果が高く、肌のかさつき防止効果に優れ、べたつき感がないため、従来から浴用剤として用いられている（特許文献１から５）。
セリシンを抽出する方法としては、例えば尿素水溶液を用い、クロマトグラフィー法によってセリシンを回収する方法（特許文献６）、イオン水生成装置を利用する方法（特許文献７）、亜臨界又は超臨界下で処理する方法（特許文献８）、化学精錬による絹精錬廃液からセリシンを分離する方法（特許文献９）、強電解水を用いてセリシンを抽出する方法（特許文献１０）などが提案されている。
【特許文献１】  特開平６−３２１７６８号公報
【特許文献２】  特開平７−  ８９８４５号公報
【特許文献３】  特開平７−２４７２１１号公報
【特許文献４】  特開平７−２４７２１２号公報
【特許文献５】  特開平８−１３３９６３号公報
【特許文献６】  特開平１１−９２５６４号公報
【特許文献７】  特開平１０−２９９０９号公報
【特許文献８】  特開平８−２７１８６号公報
【特許文献９】  特開平４−２０２４３５号公報
【特許文献６】  特開２００３−１６５８４３号公報
【発明の開示】
【発明が解決しようとする課題】
【０００３】  このようにセリシンの抽出は、古くから精錬工程として行われているが、精錬工程では、セリシンの溶解度を高めるために、化学薬品が使われることが多く、セリシンを利用するために化学薬品を分離する工程が必要であった。
また、セリシン液は腐敗しやすく液体状態では流通に乗りにくいために、ほとんどの場合、パウダー化したものが製品化されている。
しかし、パウダー化の工程を含むことでコストアップにつながるだけでなく、パウダー化する上で化学薬品などを混入するため、特に浴用として利用する場合には、利用者によってはアレルギー反応に気をつけなければならないなどの問題が生じてしまう。【０００４】  そこで本発明は、セリシンをパウダー化することなく、抽出されたセリシン水をそのまま利用できることを目的とする。
【課題を解決するための手段】
【０００５】  請求項１記載の本発明のセリシン抽出装置は、繭玉からセリシンを抽出するセリシン抽出装置であって、前記繭玉を入れる水槽と、前記水槽内の水を流動させる流動部とを有し、前記水槽内の水として温泉水を用い、前記水槽にて抽出されたセリシン水を浴用に用いることを特徴とする。
請求項２記載の本発明のセリシン抽出装置は、繭玉からセリシンを抽出するセリシン抽出装置であって、前記繭玉を入れる水槽と、前記水槽内の水を加熱する加熱部と、前記水槽内の水を流動させる流動部とを有し、前記水槽にて抽出されたセリシン水を浴用に用いることを特徴とする。
請求項３記載の本発明のセリシン抽出装置は、繭玉からセリシンを抽出するセリシン抽出装置であって、前記繭玉を入れる第１の水槽と、前記第１の水槽内の水を導入する第２の水槽とを有し、前記第１の水槽内の水温を前記第２の水槽内の水温よりも高くし、前記第２の水槽内のセリシン水を浴用に用いることを特徴とする。
請求項４記載の本発明は、請求項１から請求項３のいずれかに記載のセリシン抽出装置において、前記繭玉として、蛹を取り出した後の切り繭を用いることを特徴とする。
請求項５記載の本発明は、請求項１から請求項３のいずれかに記載のセリシン抽出装置において、前記繭玉に代えて、きびそ、毛羽を用いることを特徴とする。
請求項６記載の本発明は、請求項１に記載のセリシン抽出装置において、前記温泉水がアルカリ性の泉質であることを特徴とする。
請求項７記載の本発明は、請求項１又は請求項２に記載のセリシン抽出装置において、前記流動部を前記水槽の下方からの気泡の噴出とすることを特徴とする。
請求項８記載の本発明は、請求項１又は請求項２に記載のセリシン抽出装置において、前記流動部を気液混合水の噴出とすることを特徴とする。
請求項９記載の本発明は、請求項１に記載のセリシン抽出装置において、前記流動部を前記水槽内への前記温泉水の導入とすることを特徴とする。
請求項１０記載の本発明は、請求項３に記載のセリシン抽出装置において、前記第２の水槽にも繭玉を入れることを特徴とする。
請求項１１記載の本発明は、請求項３に記載のセリシン抽出装置において、前記第１の水槽の水を加熱する加熱部と、前記第２の水槽の水を冷却する冷却部とを有することを特徴とする。
請求項１２記載の本発明は、請求項１１に記載のセリシン抽出装置において、圧縮機、放熱器、膨張器、蒸発器から構成される冷凍装置を有し、前記放熱器を前記加熱部として用い、前記蒸発器を前記冷却部として用いることを特徴とする。
請求項１３記載の本発明は、請求項３に記載のセリシン抽出装置において、前記第１の水槽と前記第２の水槽とを併設し、前記第１の水槽と前記第２の水槽との間に空間を形成することを特徴とする。
請求項１４記載の本発明は、請求項１２に記載のセリシン抽出装置において、前記第１の水槽と前記第２の水槽とを併設し、前記第１の水槽と前記第２の水槽との間に空間を形成し、前記空間に前記圧縮機を配置することを特徴とする。
請求項１５記載の本発明は、請求項１２に記載のセリシン抽出装置において、前記第１の水槽と前記第２の水槽とを併設し、前記第１の水槽と前記第２の水槽との間に空間を形成し、前記空間に照明部またはディスプレイを配置することを特徴とする。
請求項１６記載の本発明は、請求項１から請求項３のいずれかに記載のセリシン抽出装置において、前記セリシン水を飲用に用いることを特徴とする。
請求項１７記載の本発明は、請求項１から請求項３のいずれかに記載のセリシン抽出装置において、前記水槽の下部に、前記水槽内部を照射する照明部を設けることを特徴とする。
請求項１８記載の本発明の浴用成分抽出装置は、請求項１から請求項３のいずれかに記載のセリシン抽出装置において、前記水槽内に前記繭玉とともに生薬、ハーブ類、薬草、冬虫夏草などの成分原料を入れることを特徴とする。
請求項１９記載の本発明の浴用成分抽出装置は、請求項１から請求項３のいずれかに記載のセリシン抽出装置において、前記水槽内に前記繭玉の代わりに生薬、ハーブ類、薬草、冬虫夏草などの成分原料を入れることを特徴とする。
請求項２０記載の本発明は、請求項１から請求項３のいずれかに記載のセリシン抽出装置において、前記水槽が密閉式であることを特徴とする。
請求項２１記載の本発明の浴用成分抽出装置は、生薬、ハーブ類、薬草、冬虫夏草などの成分原料から成分を抽出する浴用成分抽出装置であって、前記成分原料を入れる第１の水槽と、前記第１の水槽内の水温と異なる水温とする第２の水槽とを有し、前記第１の水槽内の成分抽出水又は前記第２の水槽内の成分抽出水を浴用に用いることを特徴とする。
請求項２２記載の本発明のセリシン水は、請求項１から請求項３のいずれかに記載のセリシン抽出装置で抽出したことを特徴とする。
請求項２３記載の本発明の真綿は、請求項１から請求項３のいずれかに記載のセリシン抽出装置でセリシンを抽出した後に生じることを特徴とする。
【発明の効果】
【０００６】  本発明によれば、温泉水を用いるため所定の温度の水を利用し、水槽内の水を流動させることでセリシンの抽出を行うことができる。特に温泉水にて抽出したセリシン水をそのまま浴用に用いることでパウダー化の必要もなく純粋なセリシン水を温泉にて利用することができる。
【発明を実施するための最良の形態】
【０００７】  本発明の第１の実施の形態のセリシン抽出装置は、繭玉を入れる水槽と、水槽内の水を流動させる流動部とを有し、水槽内の水として温泉水を用い、水槽にて抽出されたセリシン水を浴用に用いるものである。本実施の形態によれば、温泉水を用いるために所定の温度の水を利用し、水槽内の水を流動させることでセリシンの抽出を行うことができる。特に温泉水にて抽出したセリシン水をそのまま浴用に用いることで、パウダー化の必要もなく純粋なセリシン水を温泉にて利用することができる。
本発明の第２の実施の形態のセリシン抽出装置は、繭玉を入れる水槽と、水槽内の水を加熱する加熱部と、水槽内の水を流動させる流動部とを有し、水槽にて抽出されたセリシン水を浴用に用いるものである。本実施の形態によれば、加熱部によって高温水とし、水槽内の水を流動させることでセリシンの抽出を行うことができる。特に高温水にて抽出したセリシン水をそのまま浴用に用いることで、パウダー化の必要もなく純粋なセリシン水を利用することができる。
本発明の第３の実施の形態のセリシン抽出装置は、繭玉を入れる第１の水槽と、第１の水槽内の水を導入する第２の水槽とを有し、第１の水槽内の水温を第２の水槽内の水温よりも高くし、第２の水槽内のセリシン水を浴用に用いるものである。本実施の形態によれば、第１の水槽にて高温水でセリシンを抽出でき、第２の水槽にて温度を下げて浴用に利用するために、セリシン水を水で薄めることなく利用することができる。
本発明の第４の実施の形態は、第１から第３の実施の形態のセリシン抽出装置において、繭玉として、蛹を取り出した後の切り繭を用いるものである。本実施の形態によれば、切り繭を用いることで蛹の臭みが無く、また繭の中に温水が侵入するため、繭玉が水面に浮かんでいる時間を短くできセリシンの抽出を短時間で行うことができる。
本発明の第５の実施の形態は、第１から第３の実施の形態のセリシン抽出装置において、繭玉に代えて、きびそ、毛羽を用いるものである。本実施の形態によれば、セリシン成分が繭玉より多く含まれているきびそや毛羽を用いることで、多くのセリシンを抽出することができる。
本発明の第６の実施の形態は、第１の実施の形態のセリシン抽出装置において、温泉水がアルカリ性の泉質であるものである。本実施の形態によれば、アルカリ水であるためにセリシンを抽出しやすい。
本発明の第７の実施の形態は、第１又は第２の実施の形態のセリシン抽出装置において、流動部を水槽の下方からの気泡の噴出とするものである。本実施の形態によれば、気泡によって水槽内の水を流動させることができるとともに、気泡が付着することで繭玉に浮力が加わるため、含水した繭玉を浮上させることができ、繭玉の流動を促進することができる。
本発明の第８の実施の形態は、第１又は第２の実施の形態のセリシン抽出装置において、流動部を気液混合水の噴出とするものである。本実施の形態によれば、液を含んだ噴出によって繭玉を強制的に流動させることができるとともに、気泡が付着することで繭玉に浮力が加わるため、含水した繭玉を浮上させることができ、繭玉の流動を促進することができる。
本発明の第９の実施の形態は、第１の実施の形態のセリシン抽出装置において、流動部を水槽内への温泉水の導入とするものである。本実施の形態によれば、流動用の装置を必要とせずに温泉水の噴出によって繭玉を流動させることができる。
本発明の第１０の実施の形態は、第３の実施の形態のセリシン抽出装置において、第２の水槽にも繭玉を入れるものである。本実施の形態によれば、温度の異なるそれぞれの水槽にてセリシンを抽出するために、例えば低温側の第２の水槽では高分子量のセリシンを抽出することができる。
本発明の第１１の実施の形態は、第３の実施の形態のセリシン抽出装置において、第１の水槽の水を加熱する加熱部と、第２の水槽の水を冷却する冷却部とを有するものである。本実施の形態によれば、第１の水槽ではセリシンの抽出を高めることができるとともに、第２の水槽の水を冷却することで水に薄めることなくセリシン水を浴用に利用することができる。
本発明の第１２の実施の形態は、第１１の実施の形態のセリシン抽出装置において、圧縮機、放熱器、膨張器、蒸発器から構成される冷凍装置を有し、放熱器を加熱部として用い、蒸発器を冷却部として用いるものである。本実施の形態によれば、冷凍装置の放熱器と蒸発器とを有効に利用できるため、熱効率が高く低コストで加熱と冷却を行うことができる。
本発明の第１３の実施の形態は、第３の実施の形態のセリシン抽出装置において、第１の水槽と第２の水槽とを併設し、第１の水槽と第２の水槽との間に空間を形成するものである。本実施の形態によれば、空間が断熱機能を有するために第１の水槽と第２の水槽の間で熱交換を行うことを防止することができるとともに、ポンプ類などの動力装置をこの空間に収めることができる。
本発明の第１４の実施の形態は、第１２の実施の形態のセリシン抽出装置において、第１の水槽と第２の水槽とを併設し、第１の水槽と第２の水槽との間に空間を形成し、空間に圧縮機を配置するものである。本実施の形態によれば、第１の水槽と第２の水槽の間の空間に圧縮機を配置することで、圧縮機の騒音防止を図ることができる。
本発明の第１５の実施の形態は、第１２の実施の形態のセリシン抽出装置において、第１の水槽と第２の水槽とを併設し、第１の水槽と第２の水槽との間に空間を形成し、空間に照明部またはディスプレイを配置するものである。本実施の形態によれば、照明部又はディスプレイの明かりによって繭玉の状態を把握でき、セリシンの抽出具合を確認することができる。
本発明の第１６の実施の形態は、第１から第３の実施の形態のセリシン抽出装置において、セリシン水を飲用に用いるものである。本実施の形態によれば、飲用にも用いることができる。
本発明の第１７の実施の形態は、第１から第３の実施の形態のセリシン抽出装置において、水槽の下部に、水槽内部を照射する照明部を設けるものである。本実施の形態によれば、繭玉の状態を把握でき、セリシンの抽出具合を確認することができる。
本発明の第１８の実施の形態の浴用成分抽出装置は、第１から第３の実施の形態におけるセリシン抽出装置において、水槽内に繭玉とともに生薬、ハーブ類、薬草、冬虫夏草などの成分原料を入れるものである。本実施の形態によれば、セリシンとともに有効成分を抽出して浴用に利用することができる。
本発明の第１９の実施の形態の浴用成分抽出装置は、第１から第３の実施の形態におけるセリシン抽出装置において、水槽内に繭玉の代わりに生薬、ハーブ類、薬草、冬虫夏草などの成分原料を入れるものである。本実施の形態によれば、本実施の形態によれば、生薬、ハーブ類、薬草、冬虫夏草などの有効成分を抽出して浴用に利用することができる。
本発明の第２０の実施の形態は、第１から第３の実施の形態のセリシン抽出装置において、水槽が密閉式であるものである。本実施の形態によれば、水槽内の温度を高めることができ、少ない熱置でセリシンの抽出を高めることができる。
本発明の第２１の実施の形態の浴用成分抽出装置は、成分原料を入れる第１の水槽と、第１の水槽内の水温と異なる水温とする第２の水槽とを有し、第１の水槽内の成分抽出水又は第２の水槽内の成分抽出水を浴用に用いるものである。本実施の形態によれば、それぞれの水槽によって異なる成分を抽出でき、又は必要に応じて低温側の成分水と高温側の成分水を浴用に利用することができる。
本発明の第２２の実施の形態のセリシン水は、第１から第３の実施の形態におけるセリシン抽出装置で抽出したものである。本実施の形態によれば、化学薬品や防腐剤などを含まない純粋なセリシン水として利用することができる。
本発明の第２３の実施の形態の真綿は、第１から第３の実施の形態におけるセリシン抽出装置でセリシンを抽出した後に生じるものである。本実施の形態によるセリシン抽出装置では、流動部によって水を流動させているため、繭玉同士が絡み合う度合いが大きいため、繭玉毎に分離することが少ない真綿を得ることができる。
【実施例】
【０００８】  以下本発明の一実施例によるセリシン抽出装置について説明する。
図１は本実施例によるセリシン抽出装置の概念斜視図、図２は図１におけるＡ−Ａ矢視図、図３は図１におけるＢ−Ｂ矢視図、図４は図１におけるＣ−Ｃ矢視図、図５は図１におけるＤ−Ｄ矢視図、図６は同装置の概念側面図、図７は同装置の動作説明図である。
本実施例によるセリシン抽出装置は、第１の水槽１０と第２の水槽２０とを備えている。第１の水槽１０は第２の水槽２０よりも大きな容積であることが好ましい。【０００９】  まず、図１から図３及び図６を用いて第１の水槽１０について説明する。
第１の水槽１０は、透明なアクリル樹脂又はガラス材によって４つの側面１１、１２、１３、１４が構成され、上部は蓋体１５によって覆われている。
第１の水槽１０の底部側には、気泡噴出管３１が配置されている。この気泡噴出管３１は、図４に示すポンプ４１に接続され、第１の水槽１０の下方からの気泡の噴出によって流動部を構成する。なお、気泡噴出管３１に代えて気液混合水の噴出装置や液だけの噴出装置であってもよい。気泡を含む場合には、気泡の浮力によって上昇流を生じさせやすく、また繭玉に気泡を付着させることで繭玉を浮かせやすい。一方、液噴射の場合には、回転噴流や斜め方向の水流を作りやすいため、第１の水槽１０内部の水の循環を操作しやすい。
また、第１の水槽１０の底部側には吸入管３２が配置され、第１の水槽１０の上部側には気液噴出管３３が配置されている。この吸入管３２と気液噴出管３３は、図４に示すポンプ４２に接続され、吸入管３２から吸入した水をポンプ４１によって気液噴出管３３から噴出させている。この吸入管３２及び気液噴出管３３は、第１の水槽１０の下方からの吸入と第１の水槽１０の上方からの気液の噴出によって流動部を構成する。なお、気液噴出管３３に代えて液だけの噴出装置であってもよい。気泡を含む場合には、繭玉に気泡を付着させることで繭玉を浮かせやすい。一方、液噴射の場合には、回転噴流や斜め方向の水流を作りやすいため、第１の水槽１０内部の水の循環を操作しやすい。【００１０】  本実施例では、吸入管３２と気液噴出管３３とを第１の水槽１０の一方の側面に平行に設け、気泡噴出管３１を第１の水槽１０の他方の側面に設けている。このように気液噴出管３３を第１の水槽１０の一方の側面の上部に、気泡噴出管３１を第１の水槽１０の他方の側面の下部に設け、気液噴出管３３の噴出方向を下方向にすることで、第１の水槽１０の内部には、一方の側面の上部から下部に向かい、他方の側面の下部から上部に向かうような循環流れを生じやすくなる。
なお、気泡噴出管３１を第１の水槽１０の他方の側面に設けるだけでも、一方の側面の上部から下部に向かい、他方の側面の下部から上部に向かうような循環流れを発生させることができる。すなわち、気泡噴出管３１から噴出した気泡は、水面に至った時に他方の側面１４によって閉塞されているために、水面まで到達した流れは、蓋体１５に沿って、又は蓋体１５と水面とに空間がある場合には、水面に沿って側面１３側への流れとなる。また、気泡噴出管３１から噴出した気泡の上昇によって側面１４側では上昇流が生じているため、側面１１側では下方向への流れが生じる。従って、気泡噴出管３１だけの場合でも第１の水槽１０内部には、循環流れが生じることになる。【００１１】  また、図１、図２及び図６に示すように、第１の水槽１０の底部側には、照明部５１が配置されている。この照明部５１は、上部に向けて照射することで、繭玉を照射する。このように照明部５１を設けることで、第１の水槽１０内の濁りや繭層から繭糸の解離舒状態を確認することができ、セリシンの抽出度合いを把握することができる。この照明部５１は、図示のように一方の側面１１側に配置し、他方の側面１４の上部又は蓋体１５の側面１４側を照射方向とすることが好ましい。このような照射方向とすることで、水中での光路を長くすることができるため、第１の水槽１０内の濁り度合いの変化を把握しやすくなる。【００１２】  また、図３及び図６に示すように、第１の水槽１０の底部側には、加熱部６１が配置されている。この加熱部６１は、他方の側面１４側に設けることが好ましい。このように加熱部６１を他方の側面１４側に配置することで、加熱された水が上昇するため第１の水槽１０内部の水の循環を促進することができる。このように、加熱された水の上昇流によっても水を流動させることができ、加熱部６１を流動部とすることもできる。【００１３】  図１から図３、及び図６に示すように、第１の水槽１０の底部側には、仕切り板１６が設けられ、気泡噴出管３１、吸入管３２、照明部５１、加熱部６１は仕切り板１６よりも底面側に配置されている。この仕切り板１６は、多数の少なくとも繭玉よりも小さな多数の孔を有し、水の流動抵抗が少ないことが好ましい。また、仕切り板１６は、複数の長孔で構成されたものや、網状のものであってもよい。また、仕切り板１６は、反射板であることが好ましいが、透明板であってもよい。この仕切り板１６は、気泡噴出管３１、吸入管３２、照明部５１、加熱部６１への繭玉の絡みつきを防止する。【００１４】  図１及び図４に示すように、第１の水槽１０と第２の水槽２０とは併設され、第１の水槽１０と第２の水槽２０との間には、空間部７０を形成している。
この空間部７０は、上部空間部７１と下部空間部７２とに仕切られ、上部空間部７１にはディスプレイ５２が配置され、下部空間部７２には、ポンプ４１、４２、４３や圧縮機６２が配置される。
上部空間部７１には、ディスプレイ５２に代えて照明部を設けてもよい。また、このようなディスプレイ５２又は照明部は、第１の水槽１０、第２の水槽２０のいずれか一方に向いていてもよいが、双方に向いていることが好ましい。
また、上部空間部７１には、装飾品を配置することもできる。【００１５】  次に、図１、図５、及び図６を用いて第２の水槽２０について説明する。
第２の水槽２０は、透明なアクリル樹脂又はガラス材によって４つの側面２１、２２、２３、２４が構成され、上部は蓋体２５によって覆われている。
第２の水槽２０の底部側には、気泡噴出管３４が配置されている。この気泡噴出管３４は、図４に示すポンプ４３に接続され、第２の水槽２０の下方からの気泡の噴出によって流動部を構成する。なお、気泡噴出管３４に代えて気液混合水の噴出装置や液だけの噴出装置であってもよい。気泡を含む場合には、気泡の浮力によって上昇流を生じさせやすく、また繭玉に気泡を付着させることで繭玉を浮かせやすい。一方、液噴射の場合には、回転噴流や斜め方向の水流を作りやすいため、第２の水槽２０内部の水の循環を操作しやすい。【００１６】  また、図５に示すように、第２の水槽２０の底部側には、冷却部６３が配置されている。この冷却部６３は、気泡噴出管３４よりも一方の側面２１側に設けることが好ましい。このように冷却部６３を気泡噴出管３４よりも一方の側面２１側に配置し、第１の水槽１０からの温水を気泡噴出管３４よりも他方の側面２４側に導入することで、加熱水を上部に導き下部に低温水が滞留することを促進することができる。このように、低温水を下部に滞留させることで第２の水槽２０から導出する温水温度を低下させることができる。【００１７】  図５及び図６に示すように、第２の水槽２０の底部側には、仕切り板２６が設けられ、気泡噴出管３４、冷却部６３は仕切り板２６よりも底面側に配置されている。この仕切り板２６は、多数の少なくとも繭玉よりも小さな多数の孔を有し、水の流動抵抗が少ないことが好ましい。また、仕切り板２６は、複数の長孔で構成されたものや、網状のものであってもよい。また、仕切り板２６は、反射板であることが好ましいが、透明板であってもよい。この仕切り板２６は、気泡噴出管３４や冷却部６３への繭玉の絡みつきを防止する。従って、第２の水槽２０に繭玉を入れない場合には、仕切り板２６は無くてもよい。
なお、既に説明した加熱部６１を放熱器、冷却部６３を蒸発器とし、圧縮機６２、放熱器、蒸発器を膨張器とともに接続して冷凍装置を構成する。ここで冷凍装置には、二酸化炭素を冷媒として用い、超臨界域で運転する装置が好ましい。このように二酸化炭素を冷媒として用いて超臨界域で運転する冷凍装置であれば、加熱部（放熱器）６１において８０度以上の高温水を得やすい。また第２の水槽２０内の温水から熱を奪って第１の水槽１０へ熱搬送するために熱効率が極めて高い。【００１８】  図６に示すように、第１の水槽１０の底部には、下部空間部７２を経由して導入管１７が接続されている。この導入管１７からは地下から汲み上げられた温泉水が導入される。なお、既に説明した気泡噴出管３１に導入管１７を接続して、気液又は液噴出としてもよい。このように、導入管１７からの温泉水の噴出を、流動部として利用することもできる。
第２の水槽２０の底部には、下部空間部７２を経由して導出管２７が接続されている。この導出管２７からのセリシン水は浴槽、蛇口、シャワーなど浴用に利用される。
第１の水槽１０と第２の水槽２０とは、連通路１８によって連結されている。この連通路１８は、第２の水槽２０内部において吐出口を上方に向けるか、又は第２の水槽２０の上部に吐出口を設けることが好ましい。【００１９】  次に図７を用いて使用状態について説明する。
第１の水槽１０の蓋体１５を開けて繭玉８０を投入する。ここで、繭玉としては、蛹を取り出した後の切り繭を用いることが好ましい。切り繭を用いることで蛹の臭みが無く、繭の中に温水が侵入するため、繭玉が水面に浮かんでいる時間を短くできる。また、繭玉に代えて、又は繭玉とともに、きびそ、毛羽を用いることもできる。セリシン成分が繭玉より多く含まれているきびそや毛羽を用いることで多くのセリシンを抽出することができる。
第１の水槽１０内には、導入管１７から水を導入する。あらかじめ加熱された温水を供給してもよい。温泉施設においては、汲み上げられる温泉水を用いることが好ましい。温泉水がアルカリ性の泉質であればセリシンを抽出しやすい。また、鉱物が含まれている場合には、セリシンが白濁化しやすく、視覚的にもセリシンの抽出を把握できる。
第１の水槽１０内の水及び繭玉８０は、気泡噴出管３１、吸入管３２、気液噴出管３３、及び加熱部６１によって循環する。所定の温度の水を利用し、水槽内の水を流動させることでセリシンの抽出を行うことができる。
第１の水槽１０内のセリシン水は、連通路１８を経由して第２の水槽２０内に導入される。第２の水槽２０内に導入されたセリシン水は、冷却部６３によって低温化され、導出管２７から導出する。【００２０】  なお、第２の水槽２０にも繭玉を入れてもよい。第１の水槽１０よりも第２の水槽２０の温度が低いため、第２の水槽２０では高分子量のセリシンを抽出することができる。なお、特に第１の水槽１０と第２の水槽２０とに繭玉を入れる場合には、連通路１８の代わりに第２の水槽２０にも温泉水を独立して導入するとともに、第１の水槽１０にも導出管を設けることが好ましい。また、第１の水槽１０には繭玉を、第２の水槽２０には繭玉の代わりに生薬、ハーブ類、薬草、冬虫夏草などの成分原料を入れてもよい。また、繭玉、生薬、ハーブ類、薬草、冬虫夏草のいずれかの成分原料を一方の水槽に、一方の水槽と異なるいずれかの成分原料を他方の水槽に入れてもよい。この場合には、第１の水槽１０と第２の水槽２０との湯温を独立して調整できることで、それぞれの成分原料の成分抽出に適した湯温とすることができる。なお、第２の水槽２０には、冷却部６３を設けた場合で説明したが、加熱部を設けることもできる。
また、蓋体１５、２５は、それぞれ第１の水槽１０及び第２の水槽２０を密閉できることが好ましく、第１の水槽１０及び第２の水槽２０内部を大気圧より高い状態に保持できることが好ましい。また、蓋体１５、２５には、空気逃がし弁、又は圧力調整弁を備えていることが好ましい。【００２１】  なお、本実施例によれば、化学薬品や防腐剤などを含まない純粋なセリシン水を得ることができる。
また、本実施例におけるセリシン抽出装置でセリシンを抽出した後に生じる真綿は、流動部によって水を流動させているため、繭玉同士が絡み合う度合いが大きく、繭玉毎に分離することが少ない真綿を得ることができる。
また、本実施例は、温泉水で説明したが、大衆浴場や個人家庭の浴槽にも適用することができる。
更に、本実施例では、セリシン抽出装置として説明したが、水槽内に繭玉とともに、又は繭玉の代わりに、生薬、ハーブ類、薬草、冬虫夏草などの成分原料を入れることで浴用成分抽出装置として利用することができる。【００２２】  次に、本実施例で説明したディスプレイ５２について更に好ましい装置を説明する。
ディスプレイ５２として、透過性を有する複数の表示部を、所定間隔開けて積層して配置する。
このように、複数の表示部を積層して配置することで、ディスプレイ５２に対して見る位置を変更すると、それぞれの表示部に表示された画像の相対位置が変わるため、奥行きを感じる映像を実現することができる。
このような表示部としては、投影型や映写型の表示部で構成してもよいが、例えば有機ＥＬや無機ＥＬなどによって、両面に発光が可能な透過性のディスプレイ又は照明部であることがより好ましい。特に、透明両面発光ディスプレイ装置を用いる場合には、独立してドライバ回路と駆動用プログラムを備えた透明発光ディスプレイデバイスを複数積層し、それぞれのデバイスを独立に表示（コントロール）可能とすることが好ましい。特に複数積層する場合には、それぞれのデバイスの間に所定厚さの透明基板を設けるか、又は所定空間空けることで、距離感を高めることができる。また、第１の水槽１０の側面１１又は第２の水槽２０の側面２１に形成する可視面の投影面よりもディスプレイ５２の表示面を大きく構成することで、更に立体感を高めることができる。特に本実施例のように、ディスプレイ５２の前方に水槽が配置されることで、仮に可視面の投影面とディスプレイ５２の表示面とが同一の大きさであっても、水槽内面（例えば第１の水槽１０であれば、側面１２、１３、蓋体１５、仕切り板１６）が反射面を構成することで、ディスプレイ５２で表示される画像の広がりと奥行きを高めることができる。なお、上記説明では、ディスプレイ５２などの発光表示で説明したが、空間内部に立体的なミニチュア模型を設けてもよい。【００２３】  次に、本発明に適した温泉水について説明する。
本発明に用いる温泉水は、少なくとも温泉源で採取されるときの温度が２５度（℃）以上あることが好ましいが、３４度以上、更には４２度以上であることがより好ましい。３４度から４５度の範囲では、セリシンの抽出量は多くは無いが、加熱をすることなく源泉温度だけでも高分子量のセリシンを抽出でき、また繭玉の解舒率が低いため、繭玉を多く水槽内に投入しても繭玉同士が絡みにくく長時間繭玉を循環させることができる。なお、３４度から４５度の範囲に水槽内を保つために加熱部によって加熱することが好ましい。また、ガス性のものを除く溶存物質の総量が１ｋｇ中に１０００ｍｇ以上含まれることが好ましい。特に、温泉水１ｋｇあたりの溶存物質総量が１０ｇ以上の高張泉が最も好ましく、８ｇ以上１０ｇ未満の等張泉であることが好ましい。高張泉は浸透圧が大きく、成分が細胞に入り込む割合が多いため、セリシン水の効果を更に高めることができる。
水素イオン濃度は、ｐＨ９以上のアルカリ性泉質が最も好ましく、ｐＨ７．５以上９未満の弱アルカリ性泉質が好ましい。
また、温泉成分として沈降性炭酸カルシウム（ＣａＣＯ３）が含まれていることで、セリシンの再結晶化を生じやすく水に濁り感をつけることができる。
一方、炭酸泉を温泉水として用いることも好ましい。炭酸泉は低温の入浴でも保温効果が高いため、保湿性の高いセリシン含有温泉に長時間入浴できるため、保温性と保湿性を高めることができる。
また、炭酸水素塩泉、特にアルカリ性の重曹泉を温泉水として用いることも好ましい。炭酸水素塩泉は肌触りの良い浴後さわやかな湯で、アルカリ性の重曹泉は皮脂の洗浄効果に優れている上に、セリシンの溶解を高めため、低温でもセリシンを多く抽出することができる。【００２４】  流動部として気泡噴出又は気液噴出を用いる場合には、炭酸ガスが離脱しやすくなり、温泉水から炭酸ガスが離脱するとｐＨが高くなりアルカリ性に偏るために、セリシンの溶解度は高くなる。また、炭酸ガスの離脱により、アルカリ性になると炭酸水素イオンは炭酸イオンに変化し、炭酸カルシウムの沈殿を生じやすくなり、濁り効果も高くなる。重炭酸土類泉（Ｃａ−ＨＣＯ３）の場合に特にその効果は高い。
これに対し、重炭酸塩硫酸塩泉（Ｃａ・Ｍｇ・Ｎａ−ＨＣＯ３・ＳＯ４）による沈殿物の付着が著しい場合には、流動部として液噴出又は加熱による対流効果を用いることで、炭酸ガスの離脱を防止でき、沈殿物の付着を防止することができる。なお、流動に与える影響の少ない細かな気泡を発生させ、空気中の炭酸ガスを積極的に吸収させることでも、沈殿物の付着を防止することができる。【００２５】  なお、水槽中に、岩石（花崗岩）、岩石鉱物の風化で出来る粘土鉱物、二次的鉱物（ゼオライトなど）を含めることでアルカリ性を高め、セリシンの溶解度を高めることができる。これら岩石、粘土鉱物、又は二次的鉱物は粉末として含めることがより好ましい。
道後温泉のボーリングで採取した岩石試料（花崗岩）について、粉末にして水を浸透させて成分の変化を見る「浸出実験」を行った結果、実際にｐＨ１０弱のアルカリ性水が浸出直後につくられる現象が既に見いだされた。従って、これら岩石、粘土鉱物、又は二次的鉱物、及びこれらの粉末を水槽内に含めることで、本来の温泉泉質を高めるだけでなく、セリシンの溶解にも効果がある。
また、岩石の風化や変質による粘土鉱物やゼオライトは、水中の陽イオンを固定する性質をもっており、水と岩石が長期間に反応して二次的な鉱物ができるときに水素イオンを選択的に吸収する。【００２６】  上記実施例は、セリシン抽出装置を説明したが、冬虫夏草を用いて浴用成分抽出装置として用いることもできる。また、浴槽自体を浴用成分抽出装置として用いることもできる。浴槽自体を浴用成分抽出装置として用いる場合として、乾燥後の冬虫夏草を浴槽内に入れて成分抽出水を浴用に用いた実施例について以下に説明する。
従来から、冬虫夏草の成分が保湿効果や肌荒れ改善効果に優れている旨知られている（例えば特公平５−３８７２７号公報）。また、冬虫夏草の成分が創傷治癒に効果があることが報告されている（第２４回創傷治癒研究会）。
乾燥後の冬虫夏草（コナサナギタケ）を、メッシュ袋に入れて浴槽内に投入した。湯温は３４度から４２度の範囲に保たれるようにした。被験者７名により３０〜９０分浴用した結果、６人が肌のすべすべ感を感じた。また、適度な濁りと香りを生じ、リラックス感を感じた者が４名であった。
冬虫夏草として、コナサナギタケの他、サナギタケ、ハナサナギタケについても、ほぼ同様な効果を得ることができた。
また、沸騰温度での熱水抽出ではないため、適度な濁りや香りは４８時間程度持続した。
セリシン抽出装置を浴用成分抽出装置として冬虫夏草の成分抽出を行う以外に、この装置を用いることなく、浴槽内に乾燥冬虫夏草を投入するだけでも十分な効果があることが実証できた。
なお、乾燥冬虫夏草をコーヒー用のミルによって粉砕し、この粉砕した冬虫夏草粉末をメッシュ袋に入れた場合には、濁り度は増すが、異臭もなく、上記と同様な効果を得ることができた。
また、乾燥冬虫夏草に、乾燥茶葉を加えることで、清涼感を得ることができるとともに、４８時間を超えても異臭を感じることは少なかった。
茶葉としては、カテキンを多く含む緑茶、煎茶を用いた。また、これらの茶葉以外に、乾燥桑葉を加えることでも、浴水色に清涼感を与え、リラックス感を高めることができた。
また、わさびの葉を乾燥させたものを用いた場合にも、適度な浴水色を得ることができるとともに清涼感を高めることができた。
また、源泉を加熱して３８度から４５度の範囲の、ｐＨ９以上のアルカリ性泉質の温泉水を用いた場合には、更に肌のすべすべ感とともにリラックス感を感じることができた。
以上のように、冬虫夏草の成分を浴槽内にて抽出することで、冬虫夏草の成分が有する効果を、所定温度の浴水にて肌に対して直接作用させることができるので、皮膚外用剤として用いる場合と比較しても高い効果を得ることができる。
なお、冬虫夏草の乾燥固形物を浴槽内に投入して用いたが、冬虫夏草の粉砕物を用いてもよく、また冬虫夏草の抽出成分を粉末化して浴用剤として用いることもできる。
【産業上の利用可能性】
【００２７】  本発明は、温泉施設における浴用として用いられるセリシン抽出装置として有効である。
【図面の簡単な説明】
【００２８】
【図１】  本発明の一実施例によるセリシン抽出装置の概念斜視図
【図２】  図１におけるＡ−Ａ矢視図
【図３】  図１におけるＢ−Ｂ矢視図
【図４】  図１におけるＣ−Ｃ矢視図
【図５】  図１におけるＤ−Ｄ矢視図
【図６】  本同装置の概念側面図
【図７】  同装置の動作説明図
【符号の説明】
【００２９】    １０    第１の水槽
２０    第２の水槽
３１    気泡噴出管
６１    加熱部
６３    冷却部
７０    空間部
【図１】
2007175685.tif 000003
【図２】
2007175685.tif 000004
【図３】
2007175685.tif 000005
【図４】
2007175685.tif 000006
【図５】
2007175685.tif 000007
【図６】
2007175685.tif 000008
【図７】
2007175685.tif 000009